(57)【要約】【課題】刃先が損壊したり摩耗したりすることがない刃がずれることを防ぐ斜め切りペンチ構造を提供する。【解決手段】  刃がずれることを防ぐ斜め切りペンチ構造は、２つのペンチ本体１０を備える。２つのペンチ本体１０は、対向した端部に設けられた斜面状切断部１１と、延設された柄部１２と、をそれぞれ有し、中段部の適切な箇所で互いに枢着される。柄部１２は、細長いプレート状であり、回動角度を制御する。斜面状切断部１１は、段差斜面であり、斜面状切断部１１に隣接した箇所へ斜めに切設された平面状の２つの当接面１１１と、切設された刃先１１２と、を有する。２つの柄部１２に圧力が印加されると、枢軸を中心に斜面状切断部１１が回動し、２つのペンチ本体１０の互いに対向した当接面１１１及び刃先１１２が当接され、当接される際に互いに対向した当接面１１１が面接触で当接する。【選択図】図２
0003163391.tif 000002
【実用新案登録請求の範囲】
【請求項１】
２つのペンチ本体を備え、
前記２つのペンチ本体は、対向した端部に設けられた斜面状切断部と、延設された柄部と、をそれぞれ有し中間部の適切な箇所で互いに枢着され、
前記柄部は、細長いプレート状であり、回動角度を制御し、
前記斜面状切断部は、段差斜面であり、前記斜面状切断部に隣接した箇所へ斜めに切設された平面状の２つの当接面と、切設された刃先と、を有するものであって、
前記２つの柄部に圧力が加えられると、枢軸を中心に前記斜面状切断部が回動し、前記２つのペンチ本体の互いに対向した前記当接面及び前記刃先が当接し、当接の際に、互いに対向した前記当接面が面接触で当接するため、前記刃先間が線接触により不用意に滑動することを防ぎ、切断の際に前記刃先の位置のずれにより発生する隙間又は前記刃先の損壊若しくは摩耗を防止することを特徴とする刃がずれることを防ぐ斜め切りペンチ構造。
【請求項２】
前記２つのペンチ本体の前記柄部の間には、前記柄部を弾性回復力により復位させる弾性部材が配置され、
前記弾性部材は、トーションバネであることを特徴とする請求項１に記載の刃がずれることを防ぐ斜め切りペンチ構造。
【考案の詳細な説明】
【技術分野】
【０００１】
本考案は、斜め切りペンチ構造に関するものであり、さらに詳しくは、刃がずれることを防ぐ斜め切りペンチ構造に関するものである。
【背景技術】
【０００２】
図６〜図８を参照する。図６〜図８に示すように、従来の斜め切りペンチ構造は、２つのペンチ本体７０を含む。２つのペンチ本体７０は、対向した端部に設けられた斜面状切断部７１と、延設された柄部７２とをそれぞれ有し、中間部で互いに枢着されている。また、斜面状切断部７１の縁部には、刃先７１１が切設されている。２つの柄部７２間には、２つの柄部７２を弾性回復力により復位させるために用いる弾性部材７２１が配置されている。ペンチ本体７０の柄部７２に圧力を加えると、枢軸を中心に斜面状切断部７１が回動し、２つの刃先を当接させることにより被切断物を切断する。
【０００３】
しかし、刃先の当接方式は、力が加わる面積が小さく線接触であるため滑動し、刃先が損壊したり摩耗したりする上、刃先がずれて隙間が生じる虞がある。
【考案の開示】
【考案が解決しようとする課題】
【０００４】
従って、本考案の課題は、物体を切断する際、２つのペンチ本体の当接面を面接触方式により当接させることにより、従来技術のように２つの刃先間が線接触することにより滑動したり、刃先が摩耗したりすることを防止し、使用寿命を延長させることができる上、物を切断する際に、刃先の位置がずれて隙間が生じたりすることを防ぐことができるペンチ構造を提供することにある。
【課題を解決するための手段】
【０００５】
そこで、本考案者は、前記の本考案の課題を解決するため、鋭意検討を重ねた結果、少なくとも、互いに当接する２つの切断部が面接触により切断作用を行わせることにより、刃先が不用意により滑動し、又は刃先の位置がずれるのを防止できることに着目し、本考案に想到するに至った。
【０００６】
かくして、本考案によれば、上記課題を解決するために、２つのペンチ本体を備え、
前記２つのペンチ本体は、対向した端部に設けられた斜面状切断部と、延設された柄部と、をそれぞれ有し、中間部の適切な箇所で互いに枢着され、
前記柄部は、細長いプレート状であり、回動角度を制御し、前記斜面状切断部は、段差斜面であり、前記斜面状切断部に隣接した箇所へ斜めに切設された平面状の２つの当接面と、切設された刃先とを有し、
前記２つの柄部に圧力が加えられると、枢軸を中心に前記斜面状切断部が回動し、前記２つのペンチ本体の互いに対向した前記当接面及び前記刃先が当接し、当接の際に互いに対向した前記当接面が面接触で当接するため、前記刃先間が線接触されて不用意に滑動することを防ぎ、切断する際に前記刃先の位置がずれて隙間が生じ、又は前記刃先が損壊したり摩耗したりすることを防ぐことを特徴とする刃がずれることを防ぐ斜め切りペンチ構造
が提供される。
【０００７】
本考案において、前記２つのペンチ本体の前記柄部の間には、前記柄部を弾性回復力により復位させる弾性部材が配置され、前記弾性部材は、トーションバネであることが好ましい。
【考案の効果】
【０００８】
本考案の刃がずれることを防ぐ斜め切りペンチ構造は、被切断物を切断する際、２つのペンチ本体の当接面が面接触の方式により当接するため、従来のように２つの刃先間が線接触することにより滑動したり、刃先が線接触の滑動により摩耗したりすることを防ぎ、使用寿命を延ばすことができる上、物を切断する際に、刃先の位置がずれて隙間が生じたりすることを防ぐことができるため、サイズが小さな切断物を切断したり、切口を平坦にしたりすることができる。
【図面の簡単な説明】
【０００９】
【図１】本考案の一実施形態による刃がずれることを防ぐ斜め切りペンチ構造を示す斜視図である。
【図２】本考案の一実施形態による刃がずれることを防ぐ斜め切りペンチ構造を示す斜視図並びに当接面及び刃先を示す部分拡大図である。
【図３】本考案の一実施形態による刃がずれることを防ぐ斜め切りペンチ構造を示す正面図である。
【図４】図３の線Ａ−Ａに沿った断面図である。
【図５】本考案の一実施形態による刃がずれることを防ぐ斜め切りペンチ構造の弾性部材を使用するときの状態を示す斜視図である。
【図６】従来の斜め切りペンチ構造を示す斜視図である。
【図７】従来の斜め切りペンチ構造を示す正面図である。
【図８】図７の線Ｂ−Ｂに沿った断面図である。
【考案を実施するための最良の形態】
【００１０】
以下、本考案の実施形態について図面に基づいて説明する。なお、これによって本考案が限定されるものではない。
【００１１】
図１及び図２を参照する。図１及び図２に示すように、本考案の一実施形態による刃がずれることを防ぐ斜め切りペンチ構造は、２つのペンチ本体１０を含む。２つのペンチ本体１０は、対向した端部に設けられた斜面状切断部１１と、延設された柄部１２とを有し、中間部の適切な箇所で互いに枢着されている。斜面状切断部１１は、段差斜面であり、中間部の斜面状切断部１１に隣接した箇所へ斜めに切設された平面状の２つの当接面１１１と、切設された刃先１１２とを有する。柄部１２は、細長いプレート状であり、回動角度を制御するために用いる。
【００１２】
図１及び図２を参照する。図１及び図２に示すように、本考案の一実施形態による刃がずれることを防ぐ斜め切りペンチ構造は、２つのペンチ本体１０が互いに重ね合わされ、中間部で枢着して分離しないように構成されている。上述の構成により、柄部１２を開閉することにより、ペンチ本体１０に設けられた斜面状切断部１１の刃先１１２により物体を切断する。
【００１３】
図３及び図４を参照する。図３及び図４に示すように、ペンチ本体１０の柄部１２に圧力が加えられると、枢軸を中心に斜面状切断部１１が回動し、２つのペンチ本体１０の互いに対向した当接面１１１及び刃先１１２が当接する。当接する際、互いに対向した当接面１１１の面が当接するため、刃先１１２間の線接触が不用意に滑動することがない。そのため、切断する際に刃先１１２の位置がずれて隙間が生じたり、滑動により刃先１１２が損壊したり摩耗したりする虞がない。
【００１４】
図５を参照する。図５に示すように、２つのペンチ本体１０の柄部１２間には、柄部１２を弾性回復力により復位させるために用いる弾性部材１２１が配置されている。この弾性部材１２１は、トーションバネが好ましい。
【００１５】
上述したことから分かるように、本考案の刃がずれることを防ぐ斜め切りペンチ構造は、物体を切断する際、２つのペンチ本体の当接面が面接触の方式により当接すため、従来のように２つの刃先が線接触されることにより滑動したり、刃先が線接触の滑動により摩耗したりすることを防ぎ、使用寿命を延ばすことができる上、物を切断する際に、刃先の位置がずれて隙間が生じたりすることを防ぐことができる。そのため、サイズが小さな切断物を切断したり、切口を平坦にしたりすることができる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１０  ペンチ本体
１１  斜面状切断部
１２  柄部
７０  ペンチ本体
７１  斜面状切断部
７２  柄部
１１１  当接面
１１２  刃先
１２１  弾性部材
７２１  弾性部材
【図１】
0003163391.tif 000003
【図２】
0003163391.tif 000004
【図３】
0003163391.tif 000005
【図４】
0003163391.tif 000006
【図５】
0003163391.tif 000007
【図６】
0003163391.tif 000008
【図７】
0003163391.tif 000009
【図８】
0003163391.tif 000010